【事件の表示】
　特許第３１９４１２７号「液晶表示装置」の請求項１ないし４に係る特許に対する特許異議の申立てについて、次のとおり決定する。
【結　論】
　訂正を認める。
　特許第３１９４１２７号の請求項１ないし４に係る特許を維持する。
【理　由】
１．手続の経緯
　特許第３１９４１２７号の請求項１〜４に係る発明についての出願は、平成８年４月１６日の出願であって、平成１３年６月１日にその発明についての特許権の設定登録がされ、その後、その特許について、異議申立人株式会社コーエンにより特許異議の申立てがなされ、取消の理由が通知され、その指定期間内である平成１４年６月４日に訂正請求がなされたものである。
　
２．訂正の適否についての判断
(1) 訂正の内容
　特許権者が求めている訂正の内容は、以下ａ〜ｅのとおりである。
・訂正事項a
　特許請求の範囲の請求項1の
「【請求項１】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極，前記走査線および前記映像信号配線に接続されたアクティブ素子を備えた横電界方式液晶表示装置において、前記対をなす画素電極が短冊状の形状であり、その一方の電極の長辺方向が他方の電極の長辺方向とほぼ平行であって前記映像信号配線と画素電極が液晶配向方向に対し、±１度〜±３０度の角度の範囲で１画素内で１回以上屈曲している構造配置になっているアクティブマトリックス基板と前記映像信号配線と同じ角度で屈曲している色フィルターとブラックマスクからなるカラーアクティブマトリックス型液晶表示装置」を
「【請求項１】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記対をなす画素電極が短冊状の形状であり、その一方の電極の長辺方向が他方の電極の長辺方向とほぼ平行であって、かつ画素電極を構成している共通電極の一部が映像信号配線を両側から挟み込むように配置されており、前記映像信号配線と画素電極が液晶配向方向に対し±1度〜±30度の角度の範囲で1画素内で1回以上屈曲している構造配置になっているアクティブマトリックス基板と前記映像信号配線と同じ角度で屈曲している色フィルターとブラックマスクからなるカラーアクティブマトリックス型液晶表示装置」と訂正する。
・訂正事項ｂ
　特許請求の範囲の請求項３の
「【請求項３】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記映像信号配線と画素電極が液晶配向方向に対し、90度を除く60度から120度の角度の範囲で1画素内で1回以上屈曲している構造配置になっているアクティブマトリックス基板と前記映像信号配線と同じ角度で屈曲している色フィルターとブラックマスクからなるカラーアクティブマトリックス型液晶表示装置」を
「【請求項３】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記対をなす画素電極が短冊状の形状であり、その一方の電極の長辺方向が他方の電極の長辺方向とほぼ平行であってかつ画素電極を構成している共通電極の一部が映像信号配線を両側から挟み込むように配置されており、前記映像信号配線と画素電極が液晶配向方向に対し、90度を除く60度から120度の角度の範囲で1画素内で1回以上屈曲している構造配置になっているアクティブマトリックス基板と前記映像信号配線と同じ角度で屈曲している色フィルターとブラックマスクからなるカラーアクティブマトリックス型液晶表示装置」と訂正する。
・訂正事項ｃ
　明細書段落番号【００１５】欄の
「図３、図４にあるように、映像信号配線２（実際は、丸付き数字）と、画素電極５（実際は、丸付き数字）,６（実際は、丸付き数字）はP型液晶配向軸方向に対し、屈曲した構造となっている。」を
「図３、図４にあるように、映像信号配線２（実際は、丸付き数字）と、画素電極５（実際は、丸付き数字）,６（実際は、丸付き数字）はP型液晶配向軸方向に対し、屈曲した構造となっており、かつ、映像信号配線は両側から隣接する画素電極(共通電極の一部)６（実際は、丸付き数字）によって挟まれてほぼ同じ形状で屈曲している。」と訂正する。
・訂正事項ｄ
　明細書段落番号【００１５】欄の
「図３、図６にあるように、映像信号配線２（実際は、丸付き数字）と、画素電極５（実際は、丸付き数字）,６（実際は、丸付き数字）はN型液晶配向軸方向に対し、屈曲した構造となっている。」を
「図３、図６にあるように、映像信号配線２（実際は、丸付き数字）と、画素電極５（実際は、丸付き数字）,６（実際は、丸付き数字）はN型液晶配向軸方向に対し、屈曲した構造となっており、かつ、映像信号配線は両側から隣接する画素電極(共通電極の一部)６（実際は、丸付き数字）によって挟まれてほぼ同じ形状で屈曲している。」と訂正する。
・訂正事項ｅ
　明細書段落番号【００１５】欄の
「図１２の５（実際は、丸付き数字）は、画素電極(液晶駆動電極)、６（実際は、丸付き数字）は画素電極(共通電極の一部)、２（実際は、丸付き数字）は映像信号配線、１２（実際は、丸付き数字）はブラックマスクである。」を
「図１２の５（実際は、丸付き数字）は、画素電極(液晶駆動電極)、６（実際は、丸付き数字）は画素電極(共通電極の一部)、２（実際は、丸付き数字）は映像信号配線、１２（実際は、丸付き数字）はブラックマスクである。映像信号配線２（実際は、丸付き数字）は両側から隣接する画素電極(共通電極の一部)６（実際は、丸付き数字）によって挟まれている。」と訂正する。
　
(2) 訂正の目的の適否、新規事項の有無、及び、特許請求の範囲の拡張・変更の存否
　上記訂正事項aは、請求項１に係る発明に関し、画素電極を構成している共通電極の一部が映像信号配線を両側から挟みこむように配置されている点を限定したものであり、この点は、特許明細書に添付された図面の図３及び図７の記載を根拠とするものである。よって、上記訂正事項ａは、特許請求の範囲の減縮を目的とするものであって、新規事項の追加に該当せず、実質的に特許請求の範囲を拡張又は変更するものではない。
　上記訂正事項bは、請求項３に係る発明に関し、対をなす画素電極が短冊状である点、その一方の電極の長辺方向が他方の電極の長辺方向とほぼ平行である点及び画素電極を構成している共通電極の一部が映像信号配線を両側から挟みこむように配置する点を限定したものである。特許明細書に添付された図面の図３及び図７の記載及び従来技術である特許明細書段落番号【０００２】欄の「櫛歯状の画素電極５（実際は、丸付き数字）と６（実際は、丸付き数字）は、直線状で平行に配置されている。」の記載を根拠とするものである。よって、上記訂正事項ｂは、特許請求の範囲の減縮を目的とするものであって、新規事項の追加に該当せず、実質的に特許請求の範囲を拡張又は変更するものではない。
　上記訂正事項ｃ，ｄ，ｅは、特許請求の範囲と発明の詳細な説明との整合をとるためのものであり、誤記の訂正または明瞭でない記載の釈明を目的とするものであって、新規事項の追加に該当せず、実質的に特許請求の範囲を拡張又は変更するものではない。
　
(3) むすび
　したがって、上記訂正は、特許法第１２０条の４第２項及び第３項において準用する特許法第１２６条第２項及び第３項の規定に適合するので、当該訂正を認める。
　
３．特許異議の申立て
(1) 申立ての理由の概要
　申立人は、下記の甲第１乃至４号証を提出し、特許第３１９４１２７号の請求項１〜４に係る発明は、甲第１号証に記載された発明と同一であるか、甲第２〜４号証に記載された発明に基づいて、当業者が容易に発明をすることができたものであるから、特許法第２９条第２項または特許法第２９条の２の規定により、特許を受けることができない発明であって、当該発明に係る特許は取り消されるべきものである旨主張している。
　甲第１号証：特願平７−３１２０１０号の願書に添付された明細書及び図面（以下、「明細書１」という。）
　甲第２号証：特開平７−１３４３０１号公報（以下、「刊行物２」という。）
　甲第３号証：特開平７−９２５０４号公報（以下、「刊行物３」という。）
　甲第４号証：特開平６−２７３８０３号公報（以下、「刊行物４」という。）
　
(2) 本件発明
　上記２．で示したように訂正が認められるから、本件の請求項１〜４に係る発明は、平成１４年６月４日付けの訂正請求書により訂正された特許請求の範囲の請求項１〜４に記載された次のとおりのものである。
「【請求項１】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記対をなす画素電極が短冊状の形状であり、その一方の電極の長辺方向が他方の電極の長辺方向とほぼ平行であって、かつ画素電極を構成している共通電極の一部が映像信号配線を両側から挟み込むように配置されており、前記映像信号配線と画素電極が液晶配向方向に対し±1度〜±30度の角度の範囲で1画素内で1回以上屈曲している構造配置になっているアクティブマトリックス基板と前記映像信号配線と同じ角度で屈曲している色フィルターとブラックマスクからなるカラーアクティブマトリックス型液晶表示装置
【請求項２】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極，前記走査線および前記映像信号配線に接続されたアクティブ素子を備えた横電界方式液晶表示装置において、前記走査線と画素電極とが液晶配向方向に対して±１度〜±３０度の角度の範囲で１画素内で１回以上屈曲している構造配置になっているアクティブマトリックス基板と前記走査線と同じ角度で屈曲している色フィルターとブラックマスクからなるカラーアクティブマトリックス型液晶表示装置
【請求項３】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記対をなす画素電極が短冊状の形状であり、その一方の電極の長辺方向が他方の電極の長辺方向とほぼ平行であってかつ画素電極を構成している共通電極の一部が映像信号配線を両側から挟み込むように配置されており、前記映像信号配線と画素電極が液晶配向方向に対し、90度を除く60度から120度の角度の範囲で1画素内で1回以上屈曲している構造配置になっているアクティブマトリックス基板と前記映像信号配線と同じ角度で屈曲している色フィルターとブラックマスクからなるカラーアクティブマトリックス型液晶表示装置
【請求項４】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極，前記走査線および前記映像信号配線に接続されたアクティブ素子を備えた横電界方式液晶表示装置において、前記走査線と画素電極が液晶配向方向に対し、９０度を除く６０度から１２０度の角度の範囲で１画素内で１回以上屈曲している構造配置になっているアクティブマトリックス基板と前記走査線と同じ角度で屈曲している色フィルターとブラックマスクからなるカラーアクティブマトリックス型液晶表示装置」（以下、それぞれ「本件発明１」、「本件発明２」、「本件発明３」、「本件発明４」という。）
　
(3) 引用刊行物に記載された発明
　申立人が提出した明細書１には、
「【請求項５】マトリックス状に配置された複数の信号配線と走査配線、その各交差点に対応して少なくとも一つ以上のスイッチング素子と、前記スイッチング素子に接続された櫛形状の画素電極と、前記画素電極と咬合して形成された櫛形状の共通電極とを有するアレイ基板と、前記アレイ基板に対向して配置された対向基板と、前記アレイ基板と前記対向基板に挟持された液晶層と、前記両基板の外部に配置された二枚の偏光板からなり、前記画素電極と前記共通電極間に、前記両基板に対して略平行な電界を発生させることにより液晶分子の配列を変化させるアクティブマトリックス型液晶表示素子であって、前記画素電極と前記共通電極とで形成される画素領域において、前記画素電極と前記共通電極間に、前記両基板に対して略平行な電界を発生させたとき、液晶分子の配列の変化する方向が異なる複数の領域を有し、前記液晶分子の配列の変化する方向が異なる複数の領域がほぼ等面積であることを特徴とするアクティブマトリックス型液晶表示素子。
【請求項６】画素電極と共通電極とが、くの字状に形成されることを特徴とする請求項５記載のアクティブマトリックス型液晶表示素子。
【請求項７】液晶分子の誘電率異方性が正であり、前記液晶分子の配向方向が画素電極と共通電極の長手方向に対して成す角度θ（但し０゜≦θ≦９０゜である）は、０゜＜θ≦３０゜を満たすことを特徴とする請求項５または６何れかに記載のアクティブマトリックス型液晶表示素子。
【請求項８】液晶分子の誘電率異方性が負であり、前記液晶分子の配向方向が画素電極と共通電極の長手方向に対して成す角度θ（但し０゜≦θ≦９０゜である）は、６０゜≦θ＜９０゜を満たすことを特徴とする請求項５または６何れかに記載のアクティブマトリックス型液晶表示素子。」（特許請求の範囲第５〜８項）、
「【００１６】この構成を実現する手段として、画素電極と共通電極がくの字状に形成され、また液晶分子の誘電率異方性が正であり、前記液晶分子の配向方向が前記画素電極と共通電極の長手方向に対して成す角度θは、０゜＜θ≦３０゜を満たすか、液晶分子の誘電率異方性が負であり、θは６０゜≦θ＜９０゜を満たすこと構成をとる。」（段落番号【００１６】欄）、
「【００２３】本実施例では、ゲート電極２をクロムを用いてアレイ基板１上に図の様な形状にパターン形成した。それと同時に、共通電極３を画素長辺方向に沿って図のような形状に形成した。なお、共通電極３の幅は４μｍであり、材料はクロムに限定せず、アルミニウム、アルミニウムを主成分とする金属など導電性単層膜または多層膜を用いても良い。
【００２４】ＴＦＴのゲート絶縁膜として働く第１絶縁体層４として、窒化シリコン（ＳｉＮｘ）をその上に積層させる。次に、ＴＦＴのスイッチ機能を司る半導体層５を、プラズマＣＶＤ法によって、アモルファスシリコン（α−Ｓｉ）を積層させる。６は第２絶縁体層であり、窒化シリコン（ＳｉＮｘ）をパターン化した。
【００２５】その後スパッタリング法によって堆積させたチタン／アルミニウム（Ｔｉ／Ａｌ）の二層を堆積させ、その後ドライエッチングによって半導体層５と共に、ソース電極７ａおよびドレイン電極７ｂをパターン形成した。また、同時に共通電極３に沿って画素電極７ｃを形成した。なお、画素電極７ｃの幅は４μｍであり、材料はチタン／アルミニウム（Ｔｉ／Ａｌ）に限定せず、導電性金属の単層膜または多層膜を用いても良い。
【００２６】この時画素電極７ｃを、第１絶縁膜層４を挟んで共通電極３とオーバーラップして形成することで蓄積容量部８が形成される。この蓄積容量部８は、画素に供給された電圧の保持するために設けられたものである。そして共通電極３と画素電極７ｃとの間隔は１０μｍとした。
【００２７】このように完成した薄膜トランジスタアレイ基板と遮光帯９が積層された対向基板１０とに配向膜を塗布し、図に示す方向にラビング処理を行った。その後、４μｍのギャップを形成して貼り合わせ、その間に誘電率異方性が正の液晶を注入し、両基板の外側に偏光板を各々の偏光軸を直交さして配置して液晶表示素子を作製した。
【００２８】この構成をとることにより、ホモジニアス配向のＮＢモードとなり、また図のように、共通電極３と画素電極７ｃとの中央部で液晶分子１１の配向方向に対して３゜くの字状に曲がって形成されているので、共通電極３と画素電極７ｃ間に電圧を印加した時、液晶分子１１が回転する方向が画素領域の上下で異なり、その面積が等しい構成となる。」（段落番号【００２３】〜【００２８】欄）、及び、
「【００３４】図５に示すように、θ＝３０゜を越えると急激に変調効率が低下していく。θ＝３０゜以内であれば、変調効率８０％以上で実用レベルである。しかしθ＝０゜の場合、電圧が印加された時の液晶分子１１の回転方向が定まらないので、配向角度（θ）は、０゜＜θ≦３０゜であれば良い。なお、この条件は電極間距離が５μｍ以上、２５μｍ以下の範囲であれば、つねに成立する。また、誘電異方性が負の液晶を使用したところ、６０゜≦θ＜９０゜の範囲で同様の結果が得られた。」（段落番号【００３４】欄）と記載され、
図１には、共通電極３及び画素電極７ｃが曲がったＴＦＴ画素部が示されている。
　同じく刊行物２には、
「【０００７】（１）　少なくとも一方が透明な一対の基板、該基板上に形成された電極、前記基板間に挾持された液晶層と前記基板の外側に偏光板を有し、前記電極を介して液晶層に電界を印加する電界印加手段を備えた液晶表示装置であって、前記電極は少なくとも画素部において基板面に平行で、かつ、少なくとも２方向に電界が印加できるよう構成されている液晶表示装置にある。・・・・・
【００１２】基板に平行な面内で液晶に印加される２つの電界方向のなす角度は、コントラスト向上のため４０〜５０度、好ましくは４５度に設定するのがよい。また、視野角を拡大するため基板に平行な面内に印加される３つの電界の方向のうち、１方向を基準にして、他の２方向のなす角度が４０〜５０度と−５０〜−４０度、好ましくは４５度と−４５度に設定するのがよい。」（段落番号【０００７】〜【００１２】欄）、
「【００１７】【作用】基板面に平行な面内で表示画素部の液晶層に対して少なくとも２方向に電界を印加することによって、明状態、暗状態を示す液晶分子の配向状態を制御することができる。特に、液晶が所定の配向状態に達するまでの時間（応答時間）を短縮することができるので高速応答の表示素子が得られる。」（段落番号【００１７】欄）、
「【００５８】〔実施例　８〕図７（ａ），（ｂ）に示すような電極パターンで上下基板にそれぞれ１画素分の電極を形成した。２枚の偏光板の一方の偏光軸が図７（ａ）に示す横に伸びた電極に平行になるように、また、もう一方の偏光軸が垂直になるよう配置し貼付けた。その他は実施例１と同様にして液晶セルを作製した。
【００５９】図７の電極１に電圧Ｖａ、電極２に電圧Ｖｂ、電極３に電圧Ｖａ’、電極４に電圧Ｖｂ’（但し、０≦Ｖｂ，Ｖｂ’≦Ｖａ、Ｖａ’≦１０Ｖ）を印加し、画素部での透過率を調べたところ、透過率が等しくなる角度が上下左右及びそれらの中間の方向でほぼ一致し、視野角も広いものが得られた。また、暗状態と明状態の最大コントラストは８０であった。」（段落番号【００５８】〜【００５９】欄）、
「【００６４】〔実施例　１２〕図８に示すように、な厚さ１.１ｍｍのガラス基板上に電極１，２，３，４，９ａ，９ｂ，９ｃ，９ｄを繰り返して形成配置し、電極９ａはソース電極としてドレイン電極７ａ，ゲート電極８ａと共にＴＦＴ１０ａを形成する。
【００６５】同様に電極９ｂ，７ｂ，８ａ及び９ｃ，７ａ，８ｂ更には９ｄ，７ｂ，８ｂは、ＴＦＴ１０ｂ，１０ｃ，１０ｄを形成する。
【００６６】電極１，３はドレイン電極と交差しないように立体的に配置する。電極２，４もドレイン電極、ソース電極と交差しないように立体的に配置する。電極１と電極９ａ及び電極３と電極９ｄの中心線の交わる角度θは７５度とした。但し、角度θは７５度に限定するものではなく、４５〜９０度の範囲内で適宜設定することができる。」（段落番号【００６４】〜【００６６】欄）、及び、
「【００７１】〔実施例　１３〕実施例１２の液晶セルにおいて、ＴＦＴを有する基板の対向基板上に画素の開口部を通り、ジグザグに伸びるＲ、Ｇ、Ｂからなる３色のカラーフィルタを設けた。」（段落番号【００７１】欄）と記載され、
図７（ａ）には、直線状の電極が短冊状に配置された電極パターンが、図７（ｂ）には、屈曲した電極が平行に配置された電極パターンが、それぞれ示されている。
　同じく刊行物３には、
「【００７２】実施例Ｃ１　１枚のガラス基板上にＴＦＴスイッチ素子を設け、さらに、図６に示すように２つの櫛形を噛み合わせたパターンのＩＴＯ電極を配線に対してマトリクス状に形成した。このとき、電極間の距離は、最も広いところで１０μｍ、最も狭いとろで１μｍとした。このようにして、電界強度の異なる複数の領域を設けた。もう１枚の基板には、配線に対応したブラックマトリクスを設けた。」（段落番号【００７２】欄）と記載されている。
　同じく刊行物４には、
「棒状の液晶分子５は、画素電極１，２間に電圧が印加されない時には櫛歯状画素電極対１，２の長辺方向に対して若干の角度を持つように配向されている。上下界面上での液晶分子５の配向方向はここでは平行である場合を例に説明する。また、液晶組成物の誘電率異方性は正を想定している。」（段落番号【０００６】欄）、及び、
「液晶組成物の誘電率異方性は正を想定したが、負であっても構わない。その場合には初期配向状態を画素電極の長辺方向に垂直な方向から若干の角度を持つように配向させる。」（段落番号【０００８】欄）と記載されている。
　
(4) 対比・判断
ａ．特許法２９条２項について
　本件発明１と刊行物２乃至４記載の発明とを比較すると、本件発明１の構成要件である「画素電極を構成している共通電極の一部が映像信号配線を両側から挟み込むように配置されており、前記映像信号配線と画素電極が液晶配向方向に対し±1度〜±30度の角度の範囲で1画素内で1回以上屈曲している構造配置になっているアクティブマトリックス基板と前記映像信号配線と同じ角度で屈曲している色フィルターとブラックマスク」を備えた点は、刊行物２乃至４のいずれにも記載も示唆もされていない。
　本件発明２と刊行物２乃至４記載の発明とを比較すると、本件発明２の構成要件である「走査線と画素電極とが液晶配向方向に対して±１度〜±３０度の角度の範囲で１画素内で１回以上屈曲している構造配置になっているアクティブマトリックス基板と前記走査線と同じ角度で屈曲している色フィルターとブラックマスク」を備えた点は、刊行物２乃至４のいずれにも記載も示唆もされていない。
　本件発明３と刊行物２乃至４記載の発明とを比較すると、本件発明３の構成要件である「画素電極を構成している共通電極の一部が映像信号配線を両側から挟み込むように配置されており、前記映像信号配線と画素電極が液晶配向方向に対し、90度を除く60度から120度の角度の範囲で1画素内で1回以上屈曲している構造配置になっているアクティブマトリックス基板と前記映像信号配線と同じ角度で屈曲している色フィルターとブラックマスク」を備えた点は、刊行物２乃至４のいずれにも記載も示唆もされていない。
　本件発明４と刊行物２乃至４記載の発明とを比較すると、本件発明４の構成要件である「走査線と画素電極が液晶配向方向に対し、９０度を除く６０度から１２０度の角度の範囲で１画素内で１回以上屈曲している構造配置になっているアクティブマトリックス基板と前記走査線と同じ角度で屈曲している色フィルターとブラックマスク」を備えた点は、刊行物２乃至４のいずれにも記載も示唆もされていない。
　よって、本件発明１乃至４は、申立人が提出した刊行物２乃至４に記載された発明に基づいて当業者が容易に発明できたものではなく、特許法第２９条第２項の規定に違反しているとはいえない。
　なお、申立人は申立書において、「アレイ基板側において画素領域を区切る映像信号配線と、対向基板側のブラックマトリックス（ブラックマスク）とを同じパターンで形成することは、開口面積を大きくとり表示装置としての輝度を上げる点から、当業者にとってみれば技術的な常識であり、慣用技術であるといえる」と主張しているが、例えば、特開２００１−３３７９９号公報、特開平１１−３０７８４号公報、特開２０００−３０５０９６号公報にも見られるように、アレイ基板側において画素領域を区切る映像信号配線と、対向基板側のブラックマトリックス（ブラックマスク）とを同じパターンで形成することは、技術常識や慣用技術であるということはできず、当業者にとって容易になしえたことであるとも言えない。
　
ｂ．特許法２９条の２について
　本件発明１と明細書１記載の発明とを比較すると、本件発明１の構成要件である「画素電極を構成している共通電極の一部が映像信号配線を両側から挟み込むように配置されており、前記映像信号配線と画素電極が液晶配向方向に対し±1度〜±30度の角度の範囲で1画素内で1回以上屈曲している構造配置になっているアクティブマトリックス基板と前記映像信号配線と同じ角度で屈曲している色フィルターとブラックマスク」を備えた点は、明細書１に記載されていない。
　本件発明２と明細書１記載の発明とを比較すると、本件発明２の構成要件である「走査線と画素電極とが液晶配向方向に対して±１度〜±３０度の角度の範囲で１画素内で１回以上屈曲している構造配置になっているアクティブマトリックス基板と前記走査線と同じ角度で屈曲している色フィルターとブラックマスク」を備えた点は、明細書１に記載されていない。
　本件発明３と明細書１記載の発明とを比較すると、本件発明３の構成要件である「画素電極を構成している共通電極の一部が映像信号配線を両側から挟み込むように配置されており、前記映像信号配線と画素電極が液晶配向方向に対し、90度を除く60度から120度の角度の範囲で1画素内で1回以上屈曲している構造配置になっているアクティブマトリックス基板と前記映像信号配線と同じ角度で屈曲している色フィルターとブラックマスク」を備えた点は、明細書１に記載されていない。
　本件発明４と明細書１記載の発明とを比較すると、本件発明４の構成要件である「走査線と画素電極が液晶配向方向に対し、９０度を除く６０度から１２０度の角度の範囲で１画素内で１回以上屈曲している構造配置になっているアクティブマトリックス基板と前記走査線と同じ角度で屈曲している色フィルターとブラックマスク」を備えた点は、明細書１に記載されていない。
　よって、本件発明１乃至４は、申立人が提出した明細書１に記載された発明ではなく、特許法第２９条の２の規定に違反しているとはいえない。
　なお、申立人は申立書において、「アレイ基板側において画素領域を区切る映像信号配線と、対向基板側のブラックマトリックス（ブラックマスク）とを同じパターンで形成することは、開口面積を大きくとり表示装置としての輝度を上げる点から、当業者にとってみれば技術的な常識であり、慣用技術であるといえる」と主張しているが、例えば、特開２００１−３３７９９号公報、特開平１１−３０７８４号公報、特開２０００−３０５０９６号公報にも見られるように、アレイ基板側において画素領域を区切る映像信号配線と、対向基板側のブラックマトリックス（ブラックマスク）とを同じパターンで形成することは、技術常識や慣用技術であるということはできず、この点が単なる慣用手段の付加であるということはできない。
　
４．むすび
　以上のとおりであるから、特許異議申立ての理由及び証拠によっては、本件発明１乃至４の特許を取り消すことはできない。
　また、他に本件発明１乃至４の特許を取り消すべき理由を発見しない。
　よって、結論のとおり決定する。
【異議決定日】
平成１４年１０月８日（２００２．１０．８）
【訂正の要旨】
・訂正事項ａ
　特許請求の範囲の請求項１の
「【請求項１】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極，前記走査線および前記映像信号配線に接続されたアクティブ素子を備えた横電界方式液晶表示装置において、前記対をなす画素電極が短冊状の形状であり、その一方の電極の長辺方向が他方の電極の長辺方向とほぼ平行であって前記映像信号配線と画素電極が液晶配向方向に対し、±１度〜±３０度の角度の範囲で１画素内で１回以上屈曲している構造配置になっているアクティブマトリックス基板と前記映像信号配線と同じ角度で屈曲している色フィルターとブラックマスクからなるカラーアクティブマトリックス型液晶表示装置」を
「【請求項１】少なくとも一方が透明な一対の基板と前記基板間に挟まれた液晶組成物層と前記基板のいずれか一方の基板に向き合った表面にマトリックス状に配置された複数の走査線および映像信号配線と対を成す画素電極と前記画素電極、前記走査線および前記映像信号配線に接続されたアクティブ素子を備えた横電界方式液晶表示装置において前記対を成す画素電極が短冊状の形状であり、その一方の電極の長辺方向が他方の電極の長辺方向とほぼ平行であって、かつ画素電極を構成している共通電極の一部が映像信号配線を両側から挟み込むように配置されており、前記映像信号配線と画素電極が液晶配向方向に対し±１度〜±３０度の角度の範囲で１画素内で１回以上屈曲している構造配置になっているアクティブマトリックス基板と、前記映像信号配線と同じ角度で屈曲している色フィルターとブラックマスクからなるカラーアクティブマトリックス型液晶表示装置」と訂正する。
・訂正事項ｂ
　特許請求の範囲の請求項３の
「【請求項３】少なくとも一方が透明な一対の基板と前記基板間に挟まれた液晶組成物層と前記基板のいずれか一方の基板に向き合った表面にマトリックス状に配置された複数の走査線および映像信号配線と対を成す画素電極と前記画素電極、前記走査線および前記映像信号配線に接続されたアクティブ素子を備えた横電界方式液晶表示装置において、前記映像信号配線と画素電極が液晶配向方向に対して９０度を除く６０度〜１２０度の角度の範囲で１画素内で１回以上屈曲している構造配置になっているアクティブマトリックス基板と前記映像信号配線と同じ角度で屈曲している色フィルターとブラックマスクからなるカラーアクティブマトリックス型液晶表示装置」を
「【請求項３】少なくとも一方が透明な一対の基板と前記基板間に挟まれた液晶組成物層と前記基板のいずれか一方の基板に向き合った表面にマトリックス状に配置された複数の走査線および映像信号配線と対を成す画素電極と前記画素電極、前記走査線および前記映像信号配線に接続されたアクティブ素子を備えた横電界方式液晶表示装置において、前記対を成す画素電極が短冊状の形状であり、その一方の電極の長辺方向が他の電極の長辺方向とほぼ平行であって、かつ画素電極を構成している共通電極の一部が映像信号配線を両側から挟み込むように配置されており、前記映像信号配線と画素電極が液晶配向方向に対して９０度を除く６０度〜１２０度の角度の範囲で１画素内で１回以上屈曲している構造配置になっているアクティブマトリックス基板と、前記映像信号配線と同じ角度で屈曲している色フィルターとブラックマスクからなるカラーアクティブマトリックス型液晶表示装置」と訂正する。
・訂正事項ｃ
　明細書段落番号【００１５】欄の
「図３、図４にあるように、映像信号配線２（実際は、丸付き数字）と、画素電極５（実際は、丸付き数字），６（実際は、丸付き数字）はＰ型液晶配向軸方向に対し屈曲した構造となっている。」を
「図３、図４にあるように、映像信号配線２（実際は、丸付き数字）と、画素電極５（実際は、丸付き数字），６（実際は、丸付き数字）はＰ型液晶配向軸方向に対し屈曲した構造となっており、かつ映像信号配線は両側から隣接する画素電極（共通電極の一部）６（実際は、丸付き数字）によって挟まれてほぼ同じ形状で屈曲している。」と訂正する。
・訂正事項ｄ
　明細書段落番号【００１５】欄の
「図３、図６にあるように、映像信号配線２（実際は、丸付き数字）と、画素電極５（実際は、丸付き数字），６（実際は、丸付き数字）はＮ型液晶配向軸方向に対し屈曲した構造となっている。」を
「図３、図６にあるように、映像信号配線２（実際は、丸付き数字）と、画素電極５（実際は、丸付き数字），６（実際は、丸付き数字）はＮ型液晶配向軸方向に対し屈曲した構造となっており、かつ映像信号配線は両側から隣接する画素電極（共通電極の一部）６（実際は、丸付き数字）によって挟まれてほぼ同じ形状で屈曲している。」と訂正する。
・訂正事項ｅ
　明細書段落番号【００１５】欄の
「図１２の５（実際は、丸付き数字）は、画素電極（液晶駆動電極）、６（実際は、丸付き数字）は画素電極（共通電極の一部）、２（実際は、丸付き数字）は映像信号配線、１２（実際は、丸付き数字）はブラックマスクである。」を
「図１２の５（実際は、丸付き数字）は、画素電極（液晶駆動電極）、６（実際は、丸付き数字）は画素電極（共通電極の一部）、２（実際は、丸付き数字）は映像信号配線、１２（実際は、丸付き数字）はブラックマスクである。映像信号配線２（実際は、丸付き数字）は両側から隣接する画素電極（共通電極の一部）６（実際は、丸付き数字）によって挟まれている。」と訂正する。
（５４）【発明の名称】
液晶表示装置
（５７）【特許請求の範囲】
　【請求項１】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記対をなす画素電極が短冊状の形状であり、その一方の電極の長辺方向が他方の電極の長辺方向とほぼ平行であって、かつ画素電極を構成している共通電極の一部が映像信号配線を両側から挟み込むように配置されており、前記映像信号配線と画素電極が液晶配向方向に対し、±１度〜±３０度の角度の範囲で１画素内で１回以上屈曲している構造配置になっているアクティブマトリックス基板と前記映像信号配線と同じ角度で屈曲している色フィルターとブラックマスクからなるカラーアクティブマトリックス型液晶表示装置
　【請求項２】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記走査線と画素電極とが液晶配向方向に対して±１度〜±３０度の角度の範囲で１画素内で１回以上屈曲している構造配置になっているアクティブマトリックス基板と前記走査線と同じ角度で屈曲している色フィルターとブラックマスクからなるカラーアクティブマトリックス型液晶表示装置
　【請求項３】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記対を成す画素電極が短冊状の形状であり、その一方の電極の長辺方向が他方の電極の長辺方向とほぼ平行であってかつ画素電極を構成している共通電極の一部が映像信号配線を両側から挟み込むように配置されており、前記映像信号配線と画素電極が液晶配向方向に対し、９０度を除く６０度から１２０度の角度の範囲で１画素内で１回以上屈曲している構造配置になっているアクティブマトリックス基板と前記映像信号配線と同じ角度で屈曲している色フィルターとブラックマスクからなるカラーアクティブマトリックス型液晶表示装置
　【請求項４】少なくとも一方が透明な一対の基板と前記基板間に挟まれた液晶組成物層と前記基板のいずれか一方の基板に向き合った表面にマトリックス状に配置された複数の走査線および映像信号配線と対をなす画素電極と前記画素電極、前記走査線および前記映像信号配線に接続されたアクティブ素子を備えた横電界方式液晶表示装置において、前記走査線と画素電極が液晶配向方向に対し、９０度を除く６０度から１２０度の角度の範囲で１画素内で１回以上屈曲している構造配置になっているアクティブマトリックス基板と前記走査線と同じ角度で屈曲している色フィルターとブラックマスクからなるカラーアクティブマトリックス型液晶表示装置
【発明の詳細な説明】
　【０００１】
　【産業上の利用分野】本発明は、低コストで広視野角・高画質の大画面アクティブマトリックス型液晶表示装置に関する。
　【０００２】
　【従来の技術】従来のアクティブマトリックス型液晶表示装置の一方の基板上に形成した櫛歯状電極対を用いて液晶組成物層に電界を印加する方式が、例えば特開平７−３６０５８号や特開平７−１５９７８６号公報により提案されている。以下、液晶組成物層に印加する主たる電界方向が基板界面にほぼ平行な方向である表示方式を横電界方式と称する。図１が従来の横電界方式の例である。櫛歯状の画素電極▲５▼と▲６▼は、直線状で平行に配置されている。
　【０００３】
　【発明が解決しようとする課題】上記横電界方式において、図１のような従来の画素電極構造では、図１０にあるように、プレチルト角の変化により視角特性が大きく変化することが知られている。そのために、横電界方式で良好な視角特性を得るためには、プレチルト角の非常に小さな配向膜と、液晶を組み合わせて用いる必要がある。実験的には、図１０にあるようにプレチルト角は１度以下が望ましい。ところが現在もっとも多く量産されている液晶組成物層に印加する主たる電界方向が基板界面にほぼ垂直な方向である表示方式である縦電界方式の液晶表示装置に用いられている配向膜と液晶のプレチルト角は３度から８度程度である。縦電界方式の液晶表示装置に、プレチルト角１度の配向膜と液晶を用いると、映像信号配線と画素電極の電界の影響で、リバースチルト　ドメインが発生し、画像品位をいちじるしく低下させてしまう。以上のことから、横電界方式の液晶表示装置と縦電界方式の液晶表示装置で用いる配向膜と液晶は、同一のものを使用することは、困難である。そのためひとつの製造装置で生産する場合、配向膜と液晶を交換しなければならず、生産性の点で問題となっていた。
　【０００４】本発明は、上記の問題を解決するものであり、その目的は、縦電界方式と横電界方式にかかわらず、同一の配向膜と液晶を用いることで、生産性をいちじるしく向上させることにある。
　【０００５】
　【課題を解決するための手段】本発明では、上記の課題を解決するために以下のような手段を採用します。
　【０００６】基板上に走査線と、映像信号配線と、前記走査線と映像信号配線との各交差部に形成された薄膜トランジスタと、前記薄膜トランジスタに接続された液晶駆動電極と、少なくとも一部が、前記液晶駆動電極と対向して形成された共通電極とを有するアクティブマトリックス基板と、前記アクティブマトリックス基板に対向する対向基板と、前記アクティブマトリックス基板と、前記対向基板に挟持された液晶層とからなる液晶表示装置において、〔手段１〕正の誘電率異方性液晶（Ｐ型ＬＣ）を用いる場合、前記映像信号配線と、画素電極（液晶駆動電極と、共通電極）とが、液晶配向方向に対し、±１度〜±３０度の角度の範囲で、屈曲している構造配置にした。
　【０００７】〔手段２〕正の誘電率異方性液晶（Ｐ型ＬＣ）を用いる場合、前記走査線と、画素電極（液晶駆動電極と共通電極）とが、液晶配向方向に対し、±１度〜±３０度の角度の範囲で、屈曲している構造配置にした。
　【０００８】〔手段３〕負の誘電率異方性液晶（Ｎ型ＬＣ）を用いる場合、前記、映像信号配線と画素電極（液晶駆動電極と共通電極）とが、液晶配向方向に対し、９０度をのぞく、６０度〜１２０度の範囲で屈曲している構造配置にした。
　【０００９】〔手段４〕負の誘電率異方性液晶（Ｎ型ＬＣ）を用いる場合、前記走査線と画素電極（液晶駆動電極と共通電極）とが、液晶配向方向に対し、９０度をのぞく６０度〜１２０度の範囲で、屈曲している構造配置にした。
　【００１０】〔手段５〕上記手段１〜４で用いた、映像信号配線や、走査線の屈曲と同じ角度で屈曲した構造配置になっている色フィルターとブラックマスクの形状とした。
　【００１１】
　【作用】上記手段１〜４を用いることで、図４、図６にあるように、画素電極（液晶駆動電極と共通電極）内で横電界が印加された場合、液晶分子は、画素電極内部で左回転と右回転の２通りの回転運動が発生する。従来の図１の構造では、図２にあるように、画素電極（液晶駆動電極と共通電極）内で横電界が印加された場合、液晶分子は画素電極内部で一方向の回転運動だけが発生する。一方向の回転運動ではプレチルト角が大きい場合図１０にあるように視野角の特性に片よりが発生する。ひとつの画素電極内部で左回転と右回転の２通りの液晶分子の回転運動が発生する場合には、プレチルト角が大きくても視野角の特性に、片よりが発生しない。このことから本発明の構造を用いた液晶表示装置では、プレチルト角の制限をうけずに配向膜と液晶の組み合せを自由にできる。つまり、残像や応答速度などの横電界方式特有の問題を解決しやすい方法である。従来の縦電界方式で用いていた配向膜や液晶を使用してもプレチルト角の制限をうけないので、製造ラインの変更をする必要がなく、生産性が低下しない。
　【００１２】上記手段１〜４を用いることでＲ，Ｇ，Ｂそれぞれ１色の画素内で液晶分子の回転運動を２方向に分離することが可能となり、視野角の広いカラー表示が可能となる。
　【００１３】上記手段１〜４を用いることで図８にあるように、液晶パネルの上下にはりつける偏光板の偏光軸を液晶パネルの長軸と短軸に平行か垂直に配置することが可能となる。このことにより偏光板の切断の角度出しが簡単になり、偏光板の有効利用率が増加する。
　【００１４】さらに上記手段１〜４を用いることで配向処理方法は、図９にあるように、基板をかたむけることなくラビング処理することが可能となる。このことで、ラビングロールの布の摩擦が均一におこなわれることになりラビングロールの回転のムラが発生しなくなる。配向処理のラビングムラの発生が低減する。
　【００１５】
　【実施例　】
〔実施例１〕図３、図４は、本発明の第１の実施例の動作原理を示す単位画素の平面図である。液晶分子の誘電異方性は、正である。図３の▲１▼は、走査線、▲２▼は、映像信号配線、▲３▼は、共通電極、▲４▼は、ＴＦＴ、▲５▼は、画素電極（液晶駆動電極）、▲６▼は、画素電極（共通電極の一部）である。図４の▲５▼は、画素電極（液晶駆動電極）、▲６▼画素電極（共通電極の一部）、▲７▼は、液晶分子の配向方向と、偏光板の偏光軸方向、▲８▼は、残りの一枚の偏光板の偏光軸、▲９▼は、無電界時の正の誘電率異方性液晶の分子（Ｐ型液晶分子）、▲１０▼は、Ｐ型液晶分子の配向方向と画素電極との交差する角度、である。図３、図４にあるように、映像信号配線▲２▼と、画素電極▲５▼、▲６▼は、Ｐ型液晶配向軸方向に対し、屈曲した構造となっており、かつ、映像信号配線は両側から隣接する画素電極（共通電極の一部）▲６▼によって挟まれてほぼ同じ形状で屈曲している。屈曲角▲１０▼は、±１度から±３０度の範囲であれば、最も特性の良い角度で屈曲させれば良い。図７にあるように、屈曲数に制限はない。
〔実施例２〕図５、図４は、本発明の第２の実施例の動作原理を示す単位画素の平面図である。液晶分子の誘電異方性は正である。図５、図４にあるように、走査線▲１▼と、画素電極▲５▼、▲６▼は、Ｐ型液晶配向軸方向に対し、屈曲した構造となっている。屈曲角▲１０▼は、実施例１と同様に、±１度から±３０度の範囲であれば、最も特性の良い角度で屈曲させれば良い。図７と同様に、走査線と画素電極の屈曲数に制限はない。
〔実施例３〕図３、図６は、本発明の第３の実施例の動作原理を示す単位画素の平面図である。液晶分子の誘電異方性は負である。図６の▲５▼は、画素電極（液晶駆動電極）▲６▼は、画素電極（共通電極の一部）、▲７▼は、液晶分子の配向と偏光板の偏光軸方向、▲８▼は、残りの偏光板の偏光軸、▲１０▼は、Ｎ型液晶分子の配向方向と、画素電極との交差する角度、▲１１▼は、無電界時の負の誘電率異方性液晶（Ｎ型液晶分子）である。図３、図６にあるように、映像信号配線▲２▼と、画素電極▲５▼、▲６▼は、Ｎ型液晶配向軸方向に対し、屈曲した構造となっており、かつ映像信号配線は両側から隣接する画素電極（共通電極の一部）▲６▼によって挟まれてほぼ同じ形状で屈曲している。屈曲角▲１０▼は、９０度をのぞく６０度から１２０度の範囲であれば、最も特性の良い角度で屈曲させれば良い。図７にあるように、屈曲数に制限はない。
〔実施例４〕図５、図６は、本発明の第４の実施例の動作原理を示す単位画素の平面図である。液晶分子の誘電異方性は負である。図５、図６にあるように、走査線▲１▼と、画素電極▲５▼、▲６▼は、Ｎ型液晶配向軸方向に対し、屈曲した構造となっている。屈曲角▲１０▼は、実施例３と同様に、９０度をのぞく６０度から１２０度の範囲であれば、最も特性の良い角度で屈曲させれば良い。図７と同様に、走査線と画素電極の屈曲数に制限はない。
〔実施例５〕図１１、図１２、図１３、図１４は、本発明で使用するカラーフィルター側基板の断面図及び平面図である。図１１の▲１２▼は、光をしゃ断するブラックマスクである。▲１３▼は、凹凸を平坦化するための平坦化膜、▲１４▼は液晶を配向させる配向膜である。図１２の▲５▼は、画素電極（液晶駆動電極）、▲６▼は、画素電極（共通電極の一部）、▲２▼は、映像信号配線、▲１２▼はブラックマスクである。映像信号配線▲２▼は両側から隣接する画素電極（共通電極の一部）▲６▼によって挟まれている。ブラックマスクが導電性の場合には、ブラックマスクの幅ＢＭは、映像信号配線▲２▼の幅Ｗに共通電極の幅Ｉをたした程度が良い。図１３、図１４にあるように、実施例１〜４にあわせて、カラーフィルターと、ブラックマスクを屈曲させてある。屈曲の数に制限はない。
　【００１６】図４、図５にあるように、画素電極間に電界が発生すれば、本発明の構造により、単位画素内で液晶分子は、左回転と、右回転の２通りの回転運動をすることが可能となる。
　【００１７】
　【発明の効果】本発明によれば、液晶分子のプレチルト角が大きくなっても、視野角特性の悪化を防止でき、歩留まりの高い、コストの安い大型高視野角液晶表示装置を実現できる。
【図面の簡単な説明】
　【図１】従来の横電界方式単位画素の平面図
　【図２】従来の横電界方式画素電極内のＰ型液晶の配向方向図
　【図３】本発明の横電界方式単位画素の平面図（実施例１，３）
　【図４】本発明の横電界方式画素電極内のＰ型液晶の配向方向図
　【図５】本発明の横電界方式単位画素の平面図（実施例２，４）
　【図６】本発明の横電界方式画素電極内のＮ型液晶の配向方向図
　【図７】本発明の横電界方式単位画素の応用例（実施例１，３）
　【図８】本発明の偏光板の偏光軸と、液晶パネルの関係図
　【図９】本発明のラビング処理時のラビングロールと基板の関係図
　【図１０】従来の横電界方式液晶表示装置の液晶分子のプレチルト角と視角特性図
　【図１１】横電界方式で用いられるカラーフィルター基板の断面図
　【図１２】横電界方式で用いられるカラーフィルターのブラックマスクと共通電極及び映像信号配線の配置図
　【図１３】本発明で用いられるカラーフィルターの平面図（実施例１，３）
　【図１４】本発明で用いられるカラーフィルターの平面図（実施例２，４）
　【符号の説明】
　１　走査線
　２　映像信号配線
　３　共通電極
　４　ＴＦＴ
　５　画素電極（液晶駆動電極）
　６　画素電極（共通電極の一部）
　７　液晶分子の配向方向と偏光板の偏光軸方向
　８　偏光板の偏光軸方向
　９　無電界時の正の誘電率異方性液晶分子（Ｐ型液晶）
　１０　Ｐ型液晶分子の配向方向と、画素電極の交差する角度
　１１　無電界時の負の誘電率異方性液晶分子（Ｎ型液晶）
　１２　カラーフィルターのブラックマスク
　１３　平坦化膜
　１４　配向膜
　ｌ　共通電極の幅、画素電極の幅
　Ｗ　映像信号配線の幅
　Ｌ　画素電極間のギャップ
　ＢＭ　カラーフィルターのブラックマスクの幅